(57)【要約】  本発明は、−キャパシタンスが１つの素子に印加する電圧に依存する、１つのコイルとこの素子とを有する１つの共振回路と、−１つの基準電極とを有し、１つの電池セル内に存在する第１電圧の算出を可能にする電気回路に関する。この場合、１つの電池セル電極と当該基準電極との間に存在する当該第１電圧の少なくとも一部が、当該素子に印加し、当該共振回路の、当該印加から発生する共振周波数が、１つのハウジングの外側の当該コイルの磁場によって検出可能であるように、当該電池セルの当該ハウジング内に配置されるように、当該電気回路は構成されている当該電気回路。  当該素子は、バラクタダイオードでもよい。方法、電池セル、及び１つの電池セル内に存在する第１電圧を読み取るための、当該電池セルハウジングの外側の別の電気回路を有する装置も開示されている。
2021524653.tif 000002
【特許請求の範囲】
【請求項１】
−キャパシタンスが１つの素子（２４）に印加する電圧に依存する、１つのコイル（２６）とこの素子（２４）とを有する１つの共振回路（８）と、
−１つの基準電極（７）とを有し、１つの電池セル（１）内に存在する第１電圧の算出を可能にする電気回路（２０，２１）であって、
１つの電池セル電極（３，５）と前記基準電極（７）との間に存在する前記第１電圧の少なくとも一部が、前記素子（２４）に印加し、前記共振回路（８）の、当該印加から発生する共振周波数が、１つのハウジング（２）の外側で前記コイル（２６）の磁場によって検出可能であるように、前記電池セル（１）の前記ハウジング（２）内に配置されるように構成されている当該電気回路（２０，２１）。
【請求項２】
前記素子（２４）は、１つのダイオード（２４）、特に１つのバラクタダイオード（２４）を有する請求項１に記載の電気回路（２０，２１）。
【請求項３】
前記共振回路（８）は、前記素子（２４）に直列接続されている１つのコンデンサ（２８）を有する請求項１又は２に記載の電気回路（２０，２１）。
【請求項４】
前記基準電極（７）の材料の半電池の電位が、平坦な範囲を有する請求項１〜３のいずれか１項に記載の電気回路（２０，２１）。
【請求項５】
前記基準電極（７）は、以下の材料である：
−リン酸鉄リチウム
−チタン酸リチウム
−リン酸マンガンリチウム
−リチウムと金との合金
のうちの１つ又は複数の材料を有する請求項１〜４のいずれか１項に記載の電気回路（２０，２１）。
【請求項６】
−電池セル（１）のハウジング（２）内の１つの第１及び第２の電池セル電極（３，５）と、
−同様に前記電池セル（１）の前記ハウジング（２）内の請求項１〜５のいずれか１項に記載の１つの電気回路（２０，２１）とを有する電池セル（１）であって、
１つの素子（２４）の１つの第１電気接触点（２５，２３）が、前記第１の電池セル電極（３，５）に電気接続されていて、前記素子（２４）の１つの第２の電気接触点（２３，２５）が、１つの基準電極（７）に電気接続されているように、１つの共振回路（８）が、前記第１の電池セル電極（３，５）と前記基準電極（７）とに接続されている当該電池セル（１）。
【請求項７】
１つの抵抗（２２）が、前記共振回路（８）と前記第１の電池セル電極（３，５）との間に電気接続されているか、又は前記共振回路（８）と前記基準電極（７）との間に電気接続されている請求項６に記載の電池セル（１）。
【請求項８】
−前記電池セル（１）の外側からアクセス可能な１つの第１の電池セル接続部（４，６）が、前記電池セル（１）の前記ハウジング（２）を貫通する１つの第１の電気接続部（９，１０）によって前記第１の電池セル電極（３，５）に電気接続されていて、
−前記電池セル（１）の外側からアクセス可能な１つの第２の電池セル接続部（６，４）が、前記電池セル（１）の前記ハウジング（２）を貫通する１つの第２の電気接続部（１０，９）によって前記第２の電池セル電極（５，３）に電気接続されていて、
−前記電池セル（１）の前記ハウジング（２）を貫通するその他の電気接続部は存在しない請求項６又は７に記載の電池セル（１）。
【請求項９】
−請求項６〜８のいずれか１項に記載の１つの電池セル（１）と、
−少なくとも一部が前記電池セル（１）のハウジング（２）の外側に配置されていて、共振回路（８）の共振周波数を１つのコイル（２６）の磁場によって検出するように構成されている１つの別の電気回路（１２）とを有する、前記電池セル（１）内に存在する電圧を算出するための装置（１００）。
【請求項１０】
電気回路（２０，２１）と前記別の電気回路（１２）とが、互いに電気絶縁されている請求項９に記載の装置（１００）。
【請求項１１】
請求項６〜８のいずれか１項に記載の２つ以上の電池セル（１）又は請求項９又は１０に記載の２つ以上の装置（１００）を有する電池。
【請求項１２】
−請求項９又は１０に記載の装置（１００）を提供すること、
−別の電気回路（１２）によってコイル（２６）の磁場を介して共振回路（８）の共振周波数を検出すること、及び
−前記共振回路（８）の当該検出された共振周波数に基づいて、電池セル（１）内に存在する第１電圧を算出することを有する、前記電池セル（１）内に存在する前記第１電圧を算出するための方法。
【発明の詳細な説明】
【技術分野】
【０００１】
本発明は、電池セルで測定を実行するための装置及び方法に関する。本発明は、特に電池セル又は電池の内部に存在する電圧の検出に関する。
【背景技術】
【０００２】
本発明は、特に車両の電池（及び当該電池内に含まれている電池セル）で使用される。この場合、当該電池は、例えば、車両を駆動させるために使用される高電圧電池でもよいが、車両を実際に駆動させるために考えられているのではなくて、例えば車両のエンジンの始動を可能にする従来の車両電池でもよい。当該使用は、車両の電池に関して有益であるものの、本発明は、当該車両の電池に限定される必要はなく、原理的には、その他の電池及び電池セルで使用されてもよい。
【０００３】
多くの場合、様々な理由から、電池セル内の電圧又は電池セル内の半電池の半電池電位を検出することが望ましい。このため、当該電池セルが、より高い信頼性で且つより大きい電力で、−自動車用の駆動としての使用時には−より大きい電圧範囲で稼働され得るように、１つ又は複数の基準電極が、当該電池セル内に内蔵され得ることが既に公知である。これらの基準電極の稼働の場合、当該測定装置の入力電流が小さいときに、より良好な結果が得られる。何故なら、さもなければ、当該電位が、場合によっては安定しなく、基準電極がドリフト（ｗｅｇｄｒｉｆｔｅｔ）するからである。この問題を解決するため、例えば米国特許第８，５８６，２２２号明細書では、複数の基準電極を有する電極アレイが提唱される。
【０００４】
本願発明の発明者は、１つの基準電極又は複数の基準電極が電池セルの内部の電圧を検出するために使用される既知の使用の場合に、一般に存在する２つの端子（電池セルのプラス極及びマイナス極）に加えて、追加の端子が必要であることを認識している。これに関連して、当該発明者は、基準電極によって検出されなければならない電池セルの内部の電圧が、当該電池セルの外側の適切な回路又は測定機器によって読み取られ得るように、当該追加の端子に対して、電池セルハウジングを貫通する追加の電気接続が施される必要があることを認識している。これに関連して、当該発明者は、当該電池ハウジングを貫通する追加の電気接続がハウジングコストをより高くし、当該ハウジングを弱くし、必要なスペースをより大きくすることを認識している。特に（米国特許第８，５８６，２２２号明細書に開示されている）基準電極アレイの場合は、当該アレイの個々の基準電極を個々に制御し再充電することが必要である。その結果、ここでは、電池セルハウジングを貫通する複数の電気接続部がさらに必要である。
【先行技術文献】
【特許文献】
【０００５】
【特許文献１】米国特許第８，５８６，２２２号明細書
【発明の概要】
【発明が解決しようとする課題】
【０００６】
この背景から、本発明の課題は、電池セルの内部に存在する電圧を検出するために、特に改良された代わりの装置と、特に改良された方法とを提供することにある。本発明の好適な構成は、従属請求項、明細書及び図面の対象である。
【課題を解決するための手段】
【０００７】
本発明によれば、この課題は、それぞれの独立請求項に記載の特徴を有する電気回路、電池セル、装置及び電池及び方法によって解決される。
【０００８】
本発明の第１の観点は、
−キャパシタンスが１つの素子に印加する電圧に依存する、１つのコイルとこの素子とを有する１つの共振回路と、
−１つの基準電極とを有し、１つの電池セル内に存在する第１電圧の算出を可能にする電気回路に関する。
【０００９】
この場合、１つの電池セル電極と当該基準電極との間に存在する当該第１電圧の少なくとも一部が、当該素子に印加し、当該共振回路の、当該印加から発生する共振周波数が、１つのハウジングの外側で当該コイルの磁場によって検出可能であるように、当該電池セルの当該ハウジング内に配置されるように、当該電気回路は構成されている。
【００１０】
電圧を検出するための当該回路は、電池セルの内部に設けられているものの、当該回路は、電池セル内に独立して組み込むために独立して提供されてもよい。
【００１１】
素子のキャパシタンスが、当該素子に印加する電圧に依存することによって、共振回路の共振周波数も、当該素子に印加する電圧に依存する。何故なら、共振回路の共振周波数は、特に当該共振回路内の複数の当該素子のキャパシタンス及びインダクタンスに依存するからである。特に電池セルの外側に配置されている適切な読み取り回路によって、コイルの磁場が、当該電池セルのハウジングの外側で検出され得る。当該共振回路の共振周波数が、当該検出された磁場から算出され得る。その結果、同様に、当該素子に印加する電圧が推測される。当該電池セルの内部の１つの電池セル電極（陽極又は陰極）と基準電極との間に存在し、ここではより良好に区別するために「第１電圧」と呼ばれる電圧は、必ずしも直接に（すなわち、分圧されないで）当該素子に印加しない。この代わりに、当該第１電圧は、例えば分圧器によって分圧され得る。この場合、この第１電圧の一部が、当該素子に印加する。当該第１電圧が、どんな比で分圧されるかが既知である場合、当該第１電圧は、当該素子に印加する当該算出された電圧から計算され得る。したがって、最終的には、当該磁場を当該電池セルのハウジングの外側で検出すること、当該検出から当該共振回路の共振周波数を算出すること、当該算出から当該素子に印加する電圧を算出すること、及び当該算出から当該電池セルの内部の第１電圧を算出することが可能である。次いで、例えば、当該電池セルの過充電を回避するため、当該電池セルの充電を制御するため、当該電池セルの充電状態を監視するため等のため、こうして算出された第１電圧は、電池（セル）ハウジングを制御するために利用され得る。
【００１２】
１つの構成によれば、当該素子は、１つのダイオード、特に１つのバラクタダイオードを有する。
【００１３】
バラクタダイオードが、特に本発明の回路に対して適する。何故なら、以下で詳しく説明するように、第１には、バラクタダイオードは、印加する電圧に依存するキャパシタンスを有するからであり、第２には、当該ダイオード挙動が、基準電極を再充電するために有益に利用され得るからである。その他の素子、その他の素子のキャパシタンスが、当該素子に印加する電圧に依存することも考えられる。
【００１４】
１つの構成によれば、当該共振回路は、当該素子に直列接続されている１つのコンデンサを有する。この共振回路は、この共振回路のコイルを通じて起こり得る短絡を回避するために適する。
【００１５】
１つの構成によれば、当該基準電極の材料の半電池の電位が、平坦な範囲を有する。これにより、安定な稼働が、充電状態の比較的大きい範囲にわたって達成され得る。
【００１６】
１つの構成によれば、当該基準電極は、以下の材料のうちの、例えば１つ又は複数の材料を有し得る：
−例えばＬｉＣｏＯ２のような遷移酸化金属
−例えばＬｉＮｉ１−ｙＣｏｙＯ２のような混合酸化物
−例えばＬｉＭＰＯ４のようなリン酸塩、この場合、Ｍは、例えばＦｅ、Ｍｎ、Ｃｏであり得る
−金属
及び、特に
−リン酸鉄リチウム
−チタン酸リチウム
−リン酸マンガンリチウム
−リチウムと金との合金
−リチウムとアルミニウムとの合金
このような材料の半電池の電位は、本発明にとって適した平坦な範囲を有する。
【００１７】
本発明の第２の観点は、
−電池セルのハウジング内の１つの第１及び第２の電池セル電極と、
−同様に当該電池セルの当該ハウジング内の上記の１つの電気回路とを有する電池セルに関する。この場合、１つの素子の１つの第１電気接触点が、当該第１の電池セル電極に電気接続されていて、当該素子の１つの第２の電気接触点が、１つの基準電極に電気接続されているように、１つの共振回路が、当該第１の電池セル電極と当該基準電極とに接続されている。
【００１８】
このような電池セルの場合、上記の「第１電圧」は、第１電池セル電極と基準電極との間に印加する。
【００１９】
１つの構成によれば、１つの抵抗が、当該共振回路と当該第１の電池セル電極との間に電気接続されているか、又は当該共振回路と当該基準電極との間に電気接続されている。
【００２０】
当該基準電極に通電する電流が、この抵抗によって制限され得る。この理由から、場合によっては、例えばメガオームの範囲内にある高インピーダンスの抵抗の使用が望ましい。
【００２１】
１つの構成によれば、
−当該電池セルの外側からアクセス可能な１つの第１の電池セル接続部が、当該電池セルの当該ハウジングを貫通する１つの第１の電気接続部によって当該第１の電池セル電極に電気接続されていて、
−当該電池セルの外側からアクセス可能な１つの第２の電池セル接続部が、当該電池セルの当該ハウジングを貫通する１つの第２の電気接続部によって当該第２の電池セル電極に電気接続されていて、
−当該電池セルの当該ハウジングを貫通するその他の電気接続部は存在しない。
【００２２】
したがって、このような電池セルのハウジングは、このハウジングを貫通する追加の電気接続部によって弱くならない。
【００２３】
本発明の第３の観点は、
−上記の１つの電池セルと、
−少なくとも一部が当該電池セルのハウジングの外側に配置されていて、１つの共振回路の共振周波数を１つのコイルの磁場によって検出するように構成されている１つの別の電気回路とを有する、当該電池セル内に存在する電圧を算出するための装置に関する。
【００２４】
当該別の電気回路が、当該コイルの磁場によって当該共振回路の共振周波数を検出できることによって、第１電圧が、最終的に「読み取られ」得る。その結果、例えば当該電池セルの充電状態に関する情報が、当該電池セルの外側でアクセス可能になる。
【００２５】
１つの構成によれば、当該電気回路と当該別の電気回路とが、互いに電気絶縁されている。この場合、用語「互いに電気絶縁」は、特に、当該電気回路と当該別の電気回路とが互いに直接に接続されていないことを意味する、すなわちこれらの回路が、ほぼ磁器結合だけによって影響されることを意味する。しかしながら、当然に、当該電気回路は、当該電池セルの別の素子に、特に第１電池セル電極に接続されていて、当該別の電気回路は、例えば車両内で使用する場合は当該同じ（車両の）電池（セル）によって稼働され得る。その結果、その結果、こうして、当該電気回路と当該別の電気回路とが、間接的に電気接続される。
【００２６】
本発明の第４の観点は、上記の２つ以上の電池セル又は上記の２つ以上の装置を有する電池に関する。
【００２７】
本発明の第５の観点は、
−上記の装置を提供すること、
−別の電気回路によってコイルの磁場を介して共振回路の共振周波数を検出すること、及び
−当該共振回路の当該検出された共振周波数に基づいて、電池セル内に存在する第１電圧を算出することを有する、当該電池セル内に存在する当該第１電圧を算出するための方法に関する。
【００２８】
これに応じて、本発明のこれらの観点（電気回路、電池セル、装置、電池及び方法）のうちの１つの観点に関して示された好適な構成及び実施の形態並びにそれらの利点は、本発明のその他の観点に対しても成立する。
【００２９】
本発明のその他の利点、特徴及び利用可能性は、特許請求の範囲、図面及び図面の説明に記載されている。明細書に記載されている全ての特徴及び特徴の組み合わせ、並びに以下に図面の説明で言及されている及び／又は図面だけで示された特徴及び特徴の組み合わせは、列挙されているそれぞれの組み合わせだけで使用可能であるのではなくて、実行可能であれば、別の組み合わせでも又は単独でも使用可能である。
【００３０】
以下に、本発明を実施の形態に基づいて及び添付図面を参照して詳しく説明する。この場合、同じ機能又は類似の機能の構成要素は、同じ符号で示されている。
【図面の簡単な説明】
【００３１】
【図１】本発明の実施の形態による装置を示す。
【図２】本発明の実施の形態による電気回路を示す。
【図３】本発明の別の実施の形態による電気回路を示す。
【図４】異なる材料に対する半電池の電位のグラフである。
【図５】本発明の方法ステップによるフローチャートである。
【発明を実施するための形態】
【００３２】
図１は、電池セル１と電池（セル）制御システム１３に接続されている読み取り回路１２とを有する装置１００の概略図である。
【００３３】
この実施の形態では、電池セル１の内部を気密に密閉するため、電池セル１は、例えばプラスチック材料から成るハウジング２を有する。陽極線９を介して陽極端子４に接続されている陽極３が、ハウジング２の内部に配置されている。陽極端子４は、外側からアクセス可能であり、例えばハウジング２の表面上に固定されていて、及び／又は、その少なくとも一部が、当該ハウジングの壁と一体化されている。この場合、陽極線９及び／又は陽極端子４の一部が、開口部を通過してハウジング２内に敷設されている。その結果、ハウジング２の内部からこのハウジング２の外側の空間への電気接続が可能になる。
【００３４】
同様に、陰極線１０を介して陰極端子６に接続されている陰極５が、ハウジング２内に配置されている。
【００３５】
電池セル１は、例えばリチウムイオン電池セルでもよい。
【００３６】
（大抵は、一括して作用電極、主電極又は単に電池セル電極とも呼ばれる）陽極３及び陰極５に加えて、別の電極、すなわち基準電極７が、ハウジング２内に存在する。この基準電極７は、以下で詳しく説明されている共振回路８と接続線１１とを介して陽極３又は陽極線９に接続されている。この例では基準電極７と共振回路８と接続線１１とから構成される電気回路は、電池セルの内部に存在する（第１）電圧の検出を可能にする電気回路である。
【００３７】
既に公知の手段と同様に、当該基準電極が、当該ハウジングの外側の別の（第３）端子に接続されることによって、これらの作用電極のうちの１つの作用電極に対する当該基準電極の直流電圧を「直接に」読み取る代わりに、この実施の形態では、共振回路８を離調させるように、又はこの共振回路８の共振周波数を変化させるように、これらの作用電極のうちの１つの作用電極（図１の例では、陽極３）に対する当該基準電極の電位差が作用する。
【００３８】
以下に、基準電極７と陽極３との間の電位差による共振回路８への作用又は共振周波数の変化を図２及び３に基づいて説明する。
【００３９】
図１に示されているように、別の電気回路、すなわち読み取り回路１２が、電池セル１のハウジング２の外側に配置されている。この読み取り回路１２は、既知の回路を有する。この読み取り回路１２を使用することで、共振回路８の共振周波数が、磁器結合によって検出され得る。図１には、当該磁器結合は、共振回路８又は読み取り回路１２の対向する２つのコイルによって示されている。十分な磁器結合が可能になるように、これらのコイルは、可能な限り近接して平行配置されている。
【００４０】
基準電極７と陽極３との間の電位差が、読み取り回路１２によって検出された共振回路８の共振周波数から算出される。共振回路８の構成要素の電気特性と、場合によっては基準電極７の電気特性とが既知であるならば、当該検出された共振周波数と、基準電極７と陽極３との間の電位差との間の数学的関係が、純粋に計算によって／理論的に算定され得る。しかし、この代わりに又はさらに、較正を実行することも有益である。
【００４１】
当該検出された共振周波数から基準電極７と陽極３との間の電位差を算出することは、読み取り回路１２内で又は後続接続された構成要素、例えば電池（セル）制御システム１３によって実行され得る。最終的に、当該算出された基準電極７と陽極３との間の電位差は、電池セル１の充電状態に関する情報を得るために電池（セル）制御システム１３によって利用され得る。当該情報は、様々な目的のために、例えば電池セル１の過充電を回避するために、電池セル１の再充電を開始するために、又は電池セル１の希望の目的（例えば、車両の駆動）に適した当該電池セル１の機能を制御し、場合によっては最適化するために、当該電池（セル）制御システムによって利用され得る。
【００４２】
図２は、回路２０を示す。この回路２０の上方の部分は、図１による共振回路８に相当し、この回路２０の下方の部分は、基準電極７に相当する。回路２０は、共振回路８と基準電極７との間に接続されている抵抗２２も有する。
【００４３】
回路２０の共振回路８は、コイル２６及びコンデンサ２８を有する。さらに、共振回路８は、別の素子２４、図示された例ではバラクタダイオード２４を有する。
【００４４】
バラクタダイオード２４は、そのキャパシタンスがこのバラクタダイオード２４に印加する電圧に依存する素子である。図２の例では、この電圧は、バラクタダイオード２４の（点２３として示された抵抗２２とコンデンサ２８とに接続されている）左側の端子とバラクタダイオード２４の（点２５として示されたコイル２６に接続されている）右側の端子との間の電圧である。点３０で終端する図１による接続線１１も、点２５に接続されている。この終点３０は、接続線１１が陽極線９に接触する図１の点に相当する。
【００４５】
図１に示されているように、図２の回路２０が、電池セル１内で使用される（すなわち、電池セルハウジング２内に配置されていて、点３０によって陽極線９に接続されている）場合、電位差が、基準電極７と点３０との間に発生する（「第１電圧」）。この第１電圧の一部が、例えばメガオームの範囲内にあり得る抵抗２２の大きさに応じてバラクタダイオード２４で、すなわち点２３と２５との間で発生する。バラクタダイオード２４に印加するこの電圧は、バラクタダイオード２４のキャパシタンス、すなわち共振回路８の全体のキャパシタンスに影響を及ぼす。公知であるように、当該全体のキャパシタンスは、複数のキャパシタンスから合成される、すなわちここではコンデンサ２８のキャパシタンスとバラクタダイオード２４の（短期間に変動し得る）キャパシタンスとから合成される。
【００４６】
共振回路８の共振周波数は、この共振回路８の全体のキャパシタンスと全体のインダクタンス（コイル２６）とに依存するので、この共振周波数は、基準電極７と点３０又は陽極３との間の電位差にも依存する。共振回路８の共振周波数は、図１に基づいて説明されているように別の電気回路（読み取り回路１２）によって検出され、基準電極７と陽極３との間の電位差が、この読み取り回路１２から算定され得る。
【００４７】
コンデンサ２８は、抵抗２２とコイル２６と接続線１１とを介した基準電極７と陽極３との短絡を阻止する。さらに、抵抗２２は、基準電極７に通電する電流を制限する。
【００４８】
図３は、図２に示された回路２０に似ている回路２１である。同様に、図３の上方の部分には、図２に示されているのと同じ機能を有する共振回路８が見て取れる。回路２１は、基準電極７及び（特に高インピーダンスの）抵抗２２も有する。しかしながら、図２とは違って、抵抗２２は、陰極線１０に接続するために設けられている点３１に接続している。基準電極７は、点２５に接続されている。回路２１を図１に示された装置で使用する場合、対応する変更を実施する必要がある。
【００４９】
上記のように、本発明の実施の形態は、基準電極７の半電池の電位又は基準電極７と複数の作用電極のうちの１つの作用電極との間の電圧の「非接触式又は無線式」の読み取り又は測定を可能にし得る。したがって、基準電極７用の第３端子が不要であり、したがって電池セルのハウジング２を通じた別の（第３の）電気接続も不要である。
【００５０】
図２による回路に対するバリエーションとして、抵抗２２に加えて又は抵抗２２の代わりに、抵抗を点２５と点３０との間に接続することも可能である。これは、図３による回路に対しても成立する。この場合、抵抗２２又は追加の抵抗が、点２５と基準電極７との間に配置され得る。
【００５１】
図２及び３による回路に対するバリエーションとして、−用途に応じて−抵抗２２又は追加の抵抗を省略してもよい。
【００５２】
抵抗２２又は追加の抵抗用の適切な抵抗値は、例えば、抵抗２２又は追加の抵抗が請け負わなければならない目的によって決まる。当該目的は、特に、基準電極７に通電する充電電流を制限すること、及び／又は無視できない漏れ電流を減少させることにある。当該可能な抵抗値は、用途に応じて大きく異なる。
【００５３】
限定されない例としては、以下の一対の材料が、作用電極（陽極／陰極）用に使用され得る：
黒鉛／ＮＭＣ（リチウムニッケルコバルト酸化物）
黒鉛及びシリコン／ＮＣＡ（リチウムニッケルコバルトアルミニウム酸化物）
黒鉛／ＬＣＯ（リチウムコバルト酸化物）
【００５４】
本発明の実施の形態のさらなる利点を、図４を用いて説明する。
【００５５】
図４は、充電状態（Ｓｔａｔｅ  ｏｆ  Ｃｈａｒｇｅ，ＳＯＣ）に依存する２つの材料に対する半電池の電位を概略的に示す。当該充電状態は、水平軸線上に０％から１００％の充電状態まで描かれている。当該半電池の電位は、垂直軸線上にリチウム半電池に対するボルト単位（Ｖ対Ｌｉ）で描かれている。この場合、留意すべきは、図４に示された当該半電池の電位の曲線４０及び４１は、定性的な概念を示しているにすぎず、定量的に正確な曲線とみなしてはならない点である。
【００５６】
曲線４１は、黒鉛電極に対する半電池の電位を示す。この半電池の電位は、充電状態０％のときの最大値から１００％のときの遥かにより小さい値に減少する。
【００５７】
曲線４０は、基準電極７の半電池の電位を示す。この半電池の電位は、充電状態０％のときの小さい値（０ボルト又はほぼ０ボルト）から約１５〜２０％の充電状態Ｄに達する値Ｂに増大する。曲線４０は、約８０〜９０％のときに存在し得る充電状態Ｄと別の充電状態Ｅとの間に平坦な範囲を有する。この範囲内では、曲線４０の半電池の電位が、広範囲にわたって一定のままである。充電状態Ｅの上方では、１００％の充電状態のときの最大値に達するまで、半電池の電位がさらに増大する。
【００５８】
本発明の実施の形態に対する図４の半電池の電位曲線の関連性を説明するため、上記の（いずれにしても当業者にとって周知である）基準電極の充電又は再充電が説明されている米国特許第８，５８６，２２２号明細書を再び参照する。
【００５９】
基準電極７の半電池に電位（曲線４０）が、特定の時点に最大値のときに又は最大値の近く（曲線４０の右側の端部）に存在する値を有する。バラクタダイオード２４及び／又は並列接続されたコンデンサ２８に通電する漏れ電流と、通常は何日もの期間にわたって発生する化学反応とによって、当該基準電極の充電状態が、０％の方向に変化する。すなわち、基準電極７の半電池の電位が、曲線４０上で左側に向かって緩やかに移動する。しかしながら、比較的大きい範囲にわたって、すなわち（大まかに、点Ｄと点Ｅとの間の）平坦な範囲にわたって、基準電極７の半電池の電位は一定のままである。その結果、基準電極７の半電池の電位は、陽極線９に対するほぼ一定の基準電位としてこの範囲にわたって使用され得る。この範囲内では、基準電極７の電位は、陽極線９の電位よりも大きい。その結果、バラクタダイオード２４は、図２の回路２０では遮断状態となる。したがって、バラクタダイオード２４は、コンデンサのように作用する。すなわち、回路２０は、特に基準電極７と陽極３との間の電位差を算定するために設けられている。
【００６０】
当該基準電極の充電状態がさらに減少する（すなわち、充電状態が、曲線４０上で点Ｄの左側の範囲内で移動する）と、基準電極７の半電池の電位が減少する。しかし、当該半電池の電位は、以下の理由から０％のときの充電状態に達することはない：基準電極７の半電池の電位４０と陽極３の半電池の電位４１とが、点Ｃで交差する。基準電極７の半電池の電位が、点Ｃ（又は点Ｃの左側の範囲）に達すると、基準電極７は、陽極３よりも低い電位にある。結果として、バラクタダイオード２４が導通する（図２）。その結果、基準電極７が「再充電」される。基準電極７の半電池の電位が、この再充電によって曲線４０上の点の右側の点に再び戻り、当該反応が繰り返され得る。
【００６１】
陽極３に対する安定な基準電位を提供するため、基準電極７の再充電中は、この基準電極７は機能しない（何故なら、基準電極７が、陽極３によって再充電されるからである）。しかし、これは、重大な欠点とはみなされない。何故なら、充電されているときと、セルのより高い充電状態にあるときとに、基準電極７の機能は発揮できるからである（これは、例えばめっき成膜（Ｐｌａｔｉｎｇ−Ｖｅｒｍｅｉｄｕｎｇ）を回避するために重要であり得る）。
【００６２】
図５は、本発明の方法の方法ステップによるフローチャートである。当該方法の開始５０にしたがって、ステップ５１で、上記の複数の装置のうちの１つの装置が提供される。当該装置は、例えば図１による装置でもよい。この場合、この装置は、図２の回路２０を有してもよく、又は適切な変更にしたがって図３の回路２１を有してもよく、又は同様な機能の回路を有してもよい。
【００６３】
引き続き、ステップ５２で、共振回路８の共振周波数が検出される。このため、場合によっては電池（セル）制御システム１３に接続している読み取り回路１２等が使用され得る。
【００６４】
引き続き、別のステップ５３で、電池セル１の電圧が、当該検出された共振周波数に基づいて算出される。このとき、当該算出は、読み取り回路１２又は電池（セル）制御システム１３等によって実行され得る。これにより、当該方法が終了する（ステップ５４）。次いで、当該算出された電圧は、上記の目的のために電池（セル）制御システム１３によって利用され得る。
【００６５】
上記の回路、電池セル、装置及び方法の変更又は拡張として、電池セルハウジング２内の反応又は状態に関する別の測定変数を無線式に又は非接触式に算出すること、すなわち電池セルハウジング２の外側の地点で取得可能にすることが可能である。このため、キャパシタンスが素子２４に印加する電圧に依存するこの素子２４（上記の例では、バラクタダイオード２４）の代わりに、キャパシタンスが別の測定変数に依存する素子が使用されるように、図２の回路２０又は図３の回路２１が変更され得る。このような代わりの素子は、例えばロードセルを有し得る。当該ロードセルの場合、実際の圧力が、コンデンサの１つ又は２つのプレート上に伝達される。このコンデンサのプレート間隔が、電池セル１内の圧力の変化によって変化する。これにより、このコンデンサのキャパシタンスが変化する。同様に、当該キャパシタンスの変化が、当該（変更された）共振回路８の共振周波数を変化させる。このとき、当該変化した共振周波数は、上記のように読み取られ得る。
【００６６】
別の例では、素子２４は、キャパシタンスが電池セル１内の温度に依存する素子と置換され得る。温度変化が、この素子の一部の長さを変化させ得るように、当該素子は提供され得る。この長さ可変の一部は、コンデンサのプレートに結合され得る。その結果、このコンデンサのプレート間隔が、温度変化に基づいて変化する。同様に、この変化は、当該（変更された）共振回路８の共振周波数に変化させる。この場合、当該変化した共振周波数は、上記のように読み取られ得る。
【００６７】
ここで説明されている変更された回路の場合、原理的には、回路２０又は２１のうちの共振回路８だけが必要である。すなわち、陽極３又は陰極５に対する基準電極７、抵抗２２及び接続線１１は省略され得る。
【００６８】
上記で少なくとも１つの例示的な実施の形態を説明したが、留意すべきは、多数のバリエーションの実施の形態が存在する点である。この場合、留意すべきは、当該例示的な実施の形態は、限定されない例にすぎない点であり、当該実施の形態によって、ここで説明されている装置及び方法の範囲、用途又は構成を限定することを意図しない。むしろ、上記の説明は、少なくとも１つの例示的な実施の形態を実行するための手引を当業者に提供するものである。この場合、添付された特許請求の範囲でそれぞれ規定された対象及び当該対象と法律上等価な対象から外れることなしに、例示的な実施の形態において説明されている構成要素の機能及び配置が、様々に変更され得ることが分かる。
【符号の説明】
【００６９】
１          電池セル
２          ハウジング
３          陽極
４          陽極端子
５          陰極
６          陰極端子
７          基準電極
８          共振回路
９          陽極線
１０        陰極線
１１        接続線
１２        読み取り回路
１３        電池（セル）制御システム
２０，２１  回路
２２        抵抗
２３        （接触）点
２４        素子／バラクタダイオード
２５        （接触）点
２６        コイル
２８        コンデンサ
３０，３１  （接触）点
４０        基準電極の半電池の電位曲線
４１        （黒鉛）陽極の半電池の電位曲線
５０−５４  方法ステップ
１００      装置
Ａ，Ｂ      電位レベル
Ｃ          交点
Ｄ，Ｅ      充電状態
【図１】
2021524653.tif 000003
【図２】
2021524653.tif 000004
【図３】
2021524653.tif 000005
【図４】
2021524653.tif 000006
【図５】
2021524653.tif 000007
【国際調査報告】
2021524653.tif 000008
2021524653.tif 000009
2021524653.tif 000010
2021524653.tif 000011
2021524653.tif 000012